(57)【要約】【課題】電子ペンを噛んだり、咥えたり、舐めたりする癖の動作が繰り返し行われることを防止し、唾液の浸透による電子ペンの誤動作や故障を効果的に防止する。【解決手段】棒状に形成された芯３であり、電子ペン１に装着された場合に、当該芯３の一端が電子ペン１の端部の開口から突出して利用される。当該芯３には電子ペン１から突出する一端から軸心方向に気孔Ｐｒまたは空隙ＧＰａ、ＧＰｂが設けられており、当該一端側には、苦味物質を、毛細管現象により浸み込ませる。【選択図】図３
2019185653.tif 000002
【特許請求の範囲】
【請求項１】
電子ペン用の棒状の芯であって、
電子ペンに装着された場合に、一端が前記電子ペンの先端の開口より突出し、
前記一端から軸心方向に気孔または空隙が設けられており、
少なくとも前記一端の側には、苦味物質が毛細管現象により浸み込まされている
ことを特徴とする電子ペン用の芯。
【請求項２】
合成繊維の束として構成され、
複数の前記合成繊維を束ねることで、前記合成繊維間に軸心方向の前記空隙が生じていることを特徴とする請求項１に記載の電子ペン用の芯
【請求項３】
合成樹脂により構成され、
軸心方向に１以上の前記気孔が設けられていることを特徴とする請求項１に記載の電子ペン用の芯。
【請求項４】
複数の合成繊維を束ねることで、前記合成繊維間に軸心方向の前記空隙を生じさせた中心部を構成し、前記中心部の長手方向の側面を樹脂で包んで構成したことを特徴とする請求項１に記載の電子ペン用の芯。
【請求項５】
導電性物質が添付されることにより、導電性を有することを特徴とする請求項１〜４のいずれかに記載の電子ペン用の芯。
【請求項６】
前記苦味物質は、安息香酸デナトニウムであることを特徴とする請求項１〜５のいずれかに記載の電子ペン用の芯。
【発明の詳細な説明】
【技術分野】
【０００１】
この発明は、例えば、タブレットＰＣ（Personal Computer）などの情報処理装置に搭載された位置検出装置に対する位置指示器としての機能を実現する電子ペンに用いられる電子ペン用の芯に関する。
【背景技術】
【０００２】
従来、電子ペンの芯には、ＰＯＭ等の硬質樹脂が使われてきた。このように、硬質樹脂の芯が用いられた電子ペンを用いて、位置検出面上に板状の樹脂やガラスが保護材として設けられた位置検出センサ（座標検出センサ）に対して操作入力を行っていた。しかし、硬質樹脂の芯が用いられた電子ペンで板状の樹脂やガラスの保護材上で入力操作を行うと、電子ペンが滑ってしまい、入力がし難い場合がある。
【０００３】
このため、電子ペンの芯に対しては、様々な工夫がなされてきた。具体的には、合成繊維を束ねることで形成される芯であって、軸心方向に合成繊維間の空隙が設けられることにより、弾力性を持たせたせるようにしたものがある。この合成繊維を束ねた芯を用いた電子ペンの場合、当該電子ペンの芯が位置検出センサの位置検出面上の保護材に接触すると、柔らかい感触が得ることができると共に、保護材上で電子ペンが滑ってしまうことも防止できる。
【０００４】
また、プラスチックなどの合成樹脂により形成される芯であって、軸心方向に種々の形状の気孔を設けることで、弾力性を備えるようにしたものもある。合成繊維を束ねて構成する芯の軸心方向に形成される空隙や、合成樹脂により形成される芯の軸心方向に形成される種々の形状の気孔は、元々はいわゆるインキングペンのインクをペン先に導出するためのものであった。これらの空隙や気孔にインクを入れずに、電子ペンの芯として用いることで、電子ペンの書き味を向上させている。
【先行技術文献】
【特許文献】
【０００５】
【特許文献１】特開平２−６１９６号公報
【特許文献１】特開２００３−２５７８３号公報
【特許文献２】特開２０１１−２０４４３号公報
【発明の概要】
【発明が解決しようとする課題】
【０００６】
近年、児童、生徒向けの学習システムにおいて、電子ペンを用いたタブレットＰＣが用いられるようになってきている。従来から小学校低学年の児童は、“ペンを噛む”、“ペンを咥える”、”ペンを舐める“という“癖”の動作をする場合がある。この“癖”の動作は、電子ペンの使用時においても同様であり、電子ペンを噛んだり、咥えたり、舐めたりする場合がある。電子ペンの芯が突出している側を噛んだり、咥えたり、舐めたりすると、芯が突出している電子ペンの開口部分から唾液がペン内部に浸み込んでしまう場合があると考えられる。
【０００７】
電子ペンの内部には、電子回路等が配置されているため、水分の浸入により正常に動作しなくなったり、故障の原因になったりすることが考えられる。特に、上述したように、合成繊維が束ねられて形成さ軸心方向に空隙が設けられた芯や合成樹脂で形成され軸心方向に気孔が設けられている芯の場合には、毛細管現象によりその空隙、気孔を通して唾液が電子ペン本体に進入しやすくなっている。
【０００８】
以上のことに鑑み、この発明は、電子ペンを噛んだり、咥えたり、舐めたりする癖の動作が繰り返し行われることを防止し、唾液の浸透による電子ペンの誤動作や故障を効果的に防止できる電子ペン用の芯を提供することを目的とする。
【課題を解決するための手段】
【０００９】
上記課題を解決するため、
電子ペン用の棒状の芯であって、
電子ペンに装着された場合に、一端が前記電子ペンの先端の開口より突出し、
前記一端から軸心方向に気孔または空隙が設けられており、
少なくとも前記一端側には、苦味物質が毛細管現象により浸み込まされている
ことを特徴とする電子ペン用の芯を提供する。
【００１０】
この電子ペン用の芯によれば、当該芯は棒状に形成されたものであり、これが電子ペンに装着された場合には、当該芯の一端が電子ペンの端部の開口から突出して使用される。当該芯には電子ペンかから突出する一端から軸心方向に気孔または空隙が設けられており、当該一端側には、苦味物質を毛細管現象により浸み込ませる。これにより、電子ペンの当該芯が突出している部分を、繰り返し、噛んだり、咥えたり、舐めたりすることを防止し、電子ペンへの唾液の浸透を防止する。
【図面の簡単な説明】
【００１１】
【図１】実施の形態の電子ペンの構成例を説明するための図である。
【図２】実施の形態の他の電子ペンの構成例を説明するための図である。
【図３】実施の形態の芯の具体的な構成例を説明するための図である。
【図４】芯に苦味物質を浸透させる場合について説明するための図である。
【図５】芯の外観形状の他の例を説明するための図である。
【発明を実施するための形態】
【００１２】
以下、図を参照しながら、この発明の電子ペン用の芯の一実施の形態について説明する。電子ペンを用いて入力が可能な位置検出装置には、電磁誘導方式（ＥＭＲ（Erector Magnetic Resonance technology）方式）のものやアクティブ静電結合方式（ＡＥＳ（Active Electrostatic）方式）のものなどがある。この発明の電子ペン用の芯は、いずれの方式の位置検出装置に対応する電子ペンにも適用可能なものである。以下においては、電磁誘導方式の位置検出装置に対して使用する電子ペンに、この発明の電子ペン用の芯を適用した場合を例にして具体的に説明する。
【００１３】
［電磁誘導方式の電子ペンの構成例］
電磁誘導方式の位置検出装置は、縦横に複数のコイルを配置して形成したセンサ部を備え、当該複数のコイルに順次に電力を供給して磁界を発生させる送信期間と、電力の供給を停止し外部からの磁界を受信する受信期間とを交互に設ける構成を備える。そして、当該位置検出装置に対応する電子ペンは、コイルとコンデンサとからなる共振回路を備え、位置検出装置からの磁界に応じて、当該コイルに電流が流れることにより信号を発生させて位置検出装置に送信する構成を備える。
【００１４】
これにより、電磁誘導方式の位置検出装置は、送信期間において電子ペンに電力を供給して、電子ペンを駆動可能にする。そして、電磁誘導方式の位置検出装置は、受信期間において電子ペンからの発振信号を受信することにより、電子ペンによる指示位置や電子ペンにかけられている筆圧を検出することができる。以下、この実施の形態の電磁誘導方式の電子ペンの構成例について説明する。
【００１５】
図１は、実施の形態の電子ペン１の構成例を説明するための図であり、電子ペン１を軸心方向（長手方向）に２分割した場合のペン先側の主要部分の断面図である。なお、芯３と回路基板９とは、その断面ではなく、それらが電子ペン１の内部に取り付けられた状態を示している。図１に示すように、電子ペン１は、一番外側に使用者によって把持される円筒状の筐体２を備える。筐体２の内部は中空であり、ペン先側とは反対側の端部に設けられている開口から後述する芯３以外の種々の構成部品が搭載される。
【００１６】
図１に示すように、筐体２のペン先側の端部部分はテーパー状に形成され、先細となった先端は開口になっている。この開口から芯３が挿入されて筐体２内に装着される。芯３は、全体として棒状に形成されたものであり、軸部３１と、その先端が丸みを帯びたペン先３２とからなる。芯３は、筐体２内に装着された状態でペン先３２が筐体２の先細の先端の開口から突出する。この実施の形態において、芯３は円柱状のものであり、ペン先３２は、軸部３１よりやや長い直径を有している。
【００１７】
筐体２内に装着された芯３の軸部３１の周囲には筒状のフェライトコア４が設けられ、フェライトコア４の側面には、共振回路用のコイル５が巻回される。フェライトコア４のペン先側の端部は、筐体２の先端側の内壁と係合し、逆側の端部は第１保持部材６の挿入口に挿入されて保持される。第１保持部材６は挿入口に連続して、挿入口の直径より短く、芯３の軸部３１の直径よりは長い直径を有する貫通孔が形成されている。芯３の軸部３１は、第１保持部材６の挿入口及び貫通孔を通って、第１保持部材を貫通し、筆圧検出部８に到達する。
【００１８】
筆圧検出部８は、芯体保持部８１、押圧部材８２、第１電極８３、バネ８４、誘電体８５、第２電極８６からなり、これらが筆圧検出部用の保持部材である第２保持部材７内に設けられる。第２保持部材７は第１保持部材６と連結する。芯体保持部８１は、芯３の軸部３１の直径よりもやや小さな直径の嵌合穴を備え、ここに芯３の軸部３１のペン先側とは反対側の端部が挿入されると軸部３１を保持して簡単に外れないようにする。但し、芯３のペン先３２をつまんで、所定以上の力を掛ければ、芯３を芯体保持部８１から外すことができる。すなわち、芯３は電子ペン１に対して着脱可能である。
【００１９】
芯体保持部８１と接して、押圧部材８２が設けられる。押圧部材８２は、硬質の円盤状の部材であり、芯３によって押圧可能にされる。押圧部材８２には、第１電極８３が接して設けられる。第１電極８３は、例えば導電ゴムなどの弾力性のある導電性材料により形成され、芯３とは反対側の端部が丸みを帯びた円柱状のものである。第１電極８３からやや離れた位置に、第１電極８３に対向する面を有する円盤状の誘電体８５が設けられ、誘電体８５の他方の面には第２電極８６が接して設けられる。そして、押圧部材８２と誘電体８５との間であって、第１電極８３の周囲には、コイル状のバネ８４が設けられる。
【００２０】
そして、第２保持部材７のペン先とは反対側の端部には、回路基板９が接続される。この回路基板９には、図示しないが、コンデンサやＩＣ（Integrated Circuit）の構成とされた制御回路などが接続されて形成された電子回路が設けられている。そして、図１には図示していないが、フェライトコア４の側面に巻回されたコイルの両端が、回路基板９上のコンデンサに接続されて共振回路を構成する。また、筆圧検出部８を構成する第１電極８３と第２電極８６が、回路基板９上の制御回路に接続されて、筆圧の把握が可能にされる。
【００２１】
そして、回路基板９は、電子ペン１のペン先側とは反対側の端部の開口に嵌め込まれるキャップに固定される。これにより、フェライトコア４、第１保持部材６、筆圧検出部８が収容された第２保持部材７、回路基板９が直列に接続された状態で、筐体２内において、その位置が固定される。そして、筆圧検出部８において、押圧部材８２と誘電体８５の間に設けられたコイル状のバネ８４により、押圧部材８２と、これに接する芯体保持部８１は、常時、ペン先３２側に付勢されている。従って、芯体保持部８１に軸部３１が保持された芯３もまた、ペン先３２側に、常時、付勢されている。
【００２２】
このように、筆圧検出部８のバネ８４の作用により、芯３を軸心方向に押し込んだり、また、バネ８４の力により押し出されたりすることができるようになっている。従って、芯３のペン先３２に筆圧が掛けられると、芯３は筐体２内に押し込まれ、筆圧検出部８の第１電極８３が誘電体８５に近づき、誘電体８５を挟む第１電極８３と第２電極８６との間の静電容量が変化する。この静電容量の変化を検出することで筆圧の検出ができる。また、芯３に掛けられた筆圧が解除されれば、芯３はバネ８４の力により元の状態に復帰する。
【００２３】
［電磁誘導方式の他の電子ペンの構成例］
図２は、実施の形態の他の電子ペン１Ａの構成例を説明するための図であり、図１の場合と同様に、電子ペン１Ａを軸心方向（長手方向）に２分割した場合のペン先側の主要部分の断面図である。そして、図２の場合には、図１に示したものよりも、よりペン先側の部分を拡大して示している。また、図２の電子ペン１Ａにおいて、図１に示した電子ペン１と同様に構成される部分には同じ参照符号を付している。このため、図２に示した電子ペン１Ａにおいて、図１に示した電子ペン１と同じ参照符号を付した部分の説明は重複するので省略する。
【００２４】
そして、図２に示すように、電子ペン１Ａのペン先部分を拡大して示すと、筐体２の先細となった端部の開口２ａと芯３のペン先３２との間には隙間が生じる。このため、電子ペン１Ａのペン先３２側を噛んだり、咥えたり、舐めたりした場合には、唾液が筐体２の内部に浸透し、例えば、フェライトコア４の側面に巻回されたコイルに付着する可能性がある。この場合、コイル５の電気的な特性を変化させてしまい、所望の周波数の共振信号が得られなくなる可能性がある。このような問題は、図１に示した電子ペン１の場合にも同様に起こり得る。
【００２５】
そこで、図２に示すように、電子ペン１Ａの場合には、筐体２内であって、フェライトコア４のペン先側の端部部分に浸透防止部材１０を設ける。浸透防止部材１０は、合成樹脂や合成ゴムなどの水分を浸透させることがない材料により形成された筒状のものであり、ややテーパー形状となっており、その外側の両方の端部部分が筐体２の内壁と係合して、筐体２内においてその位置が固定される。そして、フェライトコア４のペン先側の先端が、浸透防止部材１０と嵌合し、筐体２内におけるフェライトコア４のペン先側の位置が固定される。
【００２６】
図２に示す電子ペン１Ａの場合には、浸透防止部材１０の機能により、ペン先側の開口２ａより侵入する唾液などの水分が、共振回路を構成するコイル５に直接影響を及ぼすことを防止できる。この図２に示した電子ペン１Ａのように、筐体２内に浸透防止部材１０を設けることにより、外部からの水分の侵入に耐性のある（防水性のある）電子ペンを構成できる。
【００２７】
しかし、この実施の形態の電子ペン１（図１）や電子ペン１Ａ（図２）の芯３は、位置検出装置のセンサ上に配置された板状の樹脂やガラスの上で、滑ることなく、滑らかな書き味で入力操作を行えるように、弾力性を備えたものを用いている。すなわち、芯３は、ペン先３２の先端から軸心方向の後端に向かって、空隙または気孔が設けられたものである。また、芯３とフェライトコア４との間にも、若干の隙間４ａがある。
【００２８】
このため、電子ペン１Ａのペン先側が使用者によって噛まれたり、咥えられたり、舐められたりした場合には、芯３の空隙や気孔、あるいは、芯３とフェライトコア４との間の隙間を通って、唾液が浸透してしまう可能性がある。この場合、筆圧検出部８の電気的特性を変化させたり、更に後段の回路基板９の電子回路に影響を及ぼしたりすることが懸念される。
【００２９】
そこで、この実施の形態の電子ペン１、１Ａで用いられている電子ペン用の芯３は、苦味物質を浸み込ませた構成を有する。すなわち、この実施の形態の電子ペン１、１Ａで用いられている電子ペン用の芯３は、棒状に形成され、電子ペン１、１Ａに装着された場合に、その一端であるペン先３２が電子ペンの先端の開口より突出して使用される。また、芯３は、ペン先３２の先端から軸心方向に管状に延びた空隙または気孔が設けられたものである。この芯３の管状に延びた空隙または気孔に、ペン先３２側から苦味物質を毛細管現象により浸み込ませている。
【００３０】
このように、苦味物質を浸み込ませることにより、空隙や気孔を塞ぐ防水処理を施すことができる。そして、電子ペン１、１Ａのペン先側を噛んだり、咥えたり、舐めたりした場合に、苦味物質が口の中に広がるため、苦味を感じ、噛み続けたり、咥え続けたり、舐め続けることができなくされる。これにより、電子ペン１、１Ａの筐体２内に、芯３の空隙や気孔、あるいは、芯３とフェライトコア４との間の隙間を通じて唾液が浸透することを防止でき、唾液の浸透による誤動作や故障を防止できるようにしている。
【００３１】
［芯３の具体的な構成例］
図３は、芯３の具体的な構成例を説明するための図である。図３（Ａ）は、芯３の外観を示している。この実施の形態の電子ペン１、１Ａの芯３は、棒状に形成され、軸部３１とペン先３２とからなる。この例の芯３は、上述もしたように、円柱状に形成され、ペン先３２の直径は、軸部３１の直径よりもやや長くなるようにされている。そして、芯３は、外観形状はほぼ同じであるが、その内部構成が異なる複数の態様で形成することができる。
【００３２】
具体的には、合成繊維を束ねて構成するもの、合成樹脂に気孔を設けて構成するもの、合成繊維を束ねて構成し、その側面を更に樹脂で包んで構成するものなどがある。以下においては、このように内部構成が異なる芯３Ａ、３Ｂ、３Ｃの構成例について具体的に説明する。図３（Ｂ）、（Ｃ）、（Ｄ）は、図３（Ａ）に示した形状に形成されるが、その内部構成が異なる芯３Ａ、３Ｂ、３Ｃの構成例を説明するための図であり、図３（Ａ）において、点線ＡＡで示した位置で切断した場合の芯３Ａ、３Ｂ、３Ｃの断面図である。
【００３３】
図３（Ｂ）は、合成繊維を束ねて構成した芯３ＡのＡＡ断面図である。芯３Ａは、合成繊維の束として構成した場合であって、複数の合成繊維を束ねることで、合成繊維間に軸心方向の空隙を生じさせるようにして形成したものである。この例の芯３Ａは、２種類の合成繊維３ｘ、３ｙを用いて形成したものである。合成繊維３ｘ、３ｙは、例えば、ポリエステル繊維、ナイロン繊維、アクリル繊維などである。なお、その詳細な構成例については、例えば、特開２０１１−２０４４３号公報に開示されている。
【００３４】
そして、図３（Ｂ）に示したように、複数の合成繊維３ｘ、３ｙが束ねられることにより形成された芯３Ａには、合成繊維３ｘや合成繊維３ｙで囲まれた部分が空隙ＧＰａとなり、このような空隙ＧＰａが多数形成されている。合成繊維３ｘ、３ｙは、長さを持っており合成繊維３ｘや合成繊維３ｙで囲まれた部分に形成される空隙は、長さ方向に管状（パイプ状）に形成される。この例の場合、芯３Ａに設けられる多数の空隙ＧＰａは、芯３Ａの一方の端部から他方の端部に貫通したものとなっている。このように、複数の合成繊維が束ねられて形成された芯３Ａは、例えばＰＥＴ素材で一体に形成された空隙のない従来の芯に比べて、ペン先３２が容易に変形することにより、弾力性を備えたものとなる。
【００３５】
図３（Ｃ）は、合成樹脂により形成した芯の内部に１つ以上の気孔を設けて構成した芯３ＢのＡＡ断面図である。芯３Ｂは、例えば、プラスチックにより形成され、パイプ状の芯３Ｂの内部に、その内壁から中心に向かって枝部を持つ突起Ｔｋ１〜Ｔｋ８が設けられている。突起Ｔｋ１〜Ｔｋ８は、芯３Ｂの一方の端部から他方の端部まで連続して細長く設けられているものである。そして、突起Ｔｋ１〜Ｔｋ８が存在しない部分が、気孔Ｐｒとなっている。そして、突起Ｔｋ１〜Ｔｋ８は、長手方向に連続して形成されているので、気孔Ｐｒもまた、芯３Ｂの一方の端部から他方の端部まで連続して存在している。
【００３６】
そして、図３（Ｃ）に示したように、芯３Ｂの内部には、枝部を持つ突起Ｔｋ１〜Ｔｋ８が設けられることにより、気孔Ｐｒは多数の部分に分割するようにされ、多数の気孔が設けられているのと同様の状態が形成されている。このように、芯３Ｂの内部には、多数の気孔（隙間）が設けられた状態となっており、例えばＰＥＴ素材で一体に形成された気孔の存在しない従来の芯に比べて、ペン先３２が容易に変形することにより、弾力性を備えたものとなる。
【００３７】
なお、気孔との文言は、いわゆる多孔質物資に存在する無数の孔（細孔）を意味するが、この実施の形態の芯３Ｂの場合にも、芯３Ｂ内部にあたかも複数の孔を設けて、多孔質物質のように形成しているため、芯３Ｂに設ける孔を気孔と記載している。また、図３（Ｃ）に示した芯３Ｂは一例であり、芯３Ｂ内部に設けられる突起等の形状や数は種々の態様とすることができる。その詳細な例や形成方法については、例えば、特開平２−６１９６や特開２００３−２５７８３号公報に開示されている。
【００３８】
図３（Ｄ）は、合成繊維を束ねて芯の中心部を構成し、この中心部の側面を更に樹脂で包んで構成した芯３ＣのＡＡ断面図である。合成繊維を束ねて構成した芯の中心部の構成は、図３（Ｂ）を用いて説明したものと同様のものとなる。そして、当該中心部の側面を樹脂３Ｒｎにより包んで、芯３Ｃを構成する。この場合、複数の合成繊維３ｘ、３ｙで囲まれて形成される空隙ＧＰａに加えて、合成繊維３ｘ、３ｙと樹脂３Ｒｎと囲まれた空隙ＧＰｂも形成される。そして、中心部の側面を樹脂で包むことにより、電子ペンの筐体２内に芯３Ｃを装着した場合には、筆圧の印加と解除に応じた軸心方向への摺動移動をよりスムーズに行うようにできる。
【００３９】
［苦味物質の付着処理］
そして、図３（Ｂ）、（Ｃ）、（Ｄ）を用いて説明したように、軸心方向に空隙や気孔が設けられた芯３Ａ、３Ｂ、３Ｃの当該空隙や気孔に苦味物質を、毛細管現象を利用して浸み込ませる。毛細管現象は、ごく細い管を液体中に立てると、管内の液面が管外の液面より高くなる現象である。すなわち、この実施の形態の芯３Ａ、３Ｂ、３Ｃは、図１、図２、図３（Ａ）に示したように、棒状に形成されたものである。そして、これら棒状に形成された芯３Ａ、３Ｂ、３Ｃの内部に形成された空隙ＧＰａ、ＧＰｂ、気孔Ｐｒは、いずれも芯３Ａ、３Ｂ、３Ｃの軸心方向に細い管状に形成されている。このため、芯３Ａ、３Ｂ、３Ｃを苦味物質が溶け込んだ水溶液中に立てることで、空隙ＧＰａ、ＧＰｂ、気孔Ｐｒに苦味物質を浸み込ませることができる。
【００４０】
図４は、芯３Ａ、３Ｂ、３Ｃに苦味物質を浸透させる場合について説明するための図である。容器１００に苦味物質を溶かした水溶液１１０を用意する。ここで、苦味物質は、安息香酸デナトニウム（Denatonium Benzoate）を用いる。安息香酸デナトニウムは、例えば、幼児などの誤飲防止のために、シャンプーやＳＤカードなどに付加、塗布するなどして用いられているものである。安息香酸デナトニウムは、苦味が強いため、口に入れると、飲み込まずに即座に吐き出すようにできる。特に、年齢の低い子供には効果的である。
【００４１】
そして、図４（Ａ）に示すように、容器１００の水溶液１１０中に芯３Ａ、３Ｂ、３Ｃをペン先３２側から縦方向に浸すようにする。これにより、図４（Ｂ）に示すように、芯３Ａ、３Ｂ、３Ｃのペン先３２は、苦味物質の水溶液１１０中に浸る。これにより、毛細管現象によって、芯３Ａ、３Ｂ、３Ｃの軸心方向に延びた管状の空隙ＧＰａ、ＧＰｂ、気孔Ｐｒ内に、苦味物質の水溶液が浸透する。そして、所定時間経過後に、芯３Ａ、３Ｂ、３Ｃを苦味物質の水溶液１１０から引き上げると、芯３Ａ、３Ｂ、３Ｃの軸心方向に延びた管状の空隙ＧＰａ、ＧＰｂ、気孔Ｐｒ内に苦味物質の水溶液がとどまる。
【００４２】
芯３Ａ、３Ｂ、３Ｃの軸心方向に延びた管状の空隙ＧＰａ、ＧＰｂ、気孔Ｐｒ内にとどまった苦味物質の水溶液は、時間の経過と共に、水分が蒸発し、苦味物質が固形化すると共に硬化する。これにより、芯３Ａ、３Ｂ、３Ｃの軸心方向に延びた管状の空隙ＧＰａ、ＧＰｂ、気孔Ｐｒは、苦味物質によって塞がれるようにされる。すなわち、管状の空隙ＧＰａ、ＧＰｂ、気孔Ｐｒは、固形化し硬化する苦味物質により塞がれる状態となり、防水処理が施されるようにされる。
【００４３】
そして、芯３Ａ、３Ｂ、３Ｃのペン先３２側の管状の空隙ＧＰａ、ＧＰｂ、気孔Ｐｒの内部には、固形化して硬化した苦味物質が存在するので、ペン先３２側を噛んだり、咥えたり、舐めたりすれば、苦味物質が即座に口腔中に広がり、強い苦味を感じることになる。このため、芯３Ａ、３Ｂ、３Ｃが装着された電子ペン１、１Ａのペン先３２側を噛んだり、咥えたり、舐めたりする行為を続けることはできず、即座に口から離すことなり、唾液の筐体２内への侵入を効果的に防止できる。
【００４４】
また、芯３Ａ、３Ｂ、３Ｃが装着された電子ペン１、１Ａのペン先３２側を噛んだり、咥えたり、舐めたりすれば、必ず強い苦味を感じるという経験をすることになる。これにより、噛んだり、咥えたり、舐めたりすれば、繰り返し苦味を感じることになり、無意識の学習効果により、電子ペン１、１Ａのペン先側を噛んだり、咥えたり、舐めたりするといった、癖の動作をしないように矯正できる。
【００４５】
［実施の形態の効果］
電子ペン用の芯の内部に形成される空隙や気孔に、苦味物質を浸み込ませ、水分を蒸発させて、固形化及び硬化させることにより、当該空隙や気孔を苦味物質により塞ぎ防水処理を施すことができる。
【００４６】
更に、芯のペン先側を噛んだり、咥えたり、舐めたりすれば、口腔中に苦味物質が広がるため、強い苦味を感じるようにされる。これにより、芯のペン先側を噛んだり、咥えたり、舐めたりするといった癖の動作を継続させることができなくなるので、電子ペンの筐体内に唾液が浸透するのを防止し、誤動作や故障を防止できる。
【００４７】
従って、ペンを噛んだり、咥えたり、舐めたりする癖を有することの多い、幼稚園児や小学校の低学年の児童といった低年齢の子供が使用して好適な電子ペンが実現できる。
【００４８】
［変形例］
＜芯の外観形状の他の例＞
図５は、芯３の外観形状の他の例を説明するための図である。上述した実施の形態において、芯３は、図３（Ａ）に示したように、円柱状に形成され、軸部３１と、軸心部分よりも長い直径を有するペン先３２とからなるものとして説明したが、これに限るものではない。例えば、図５に示すような種々の外観形状とすることもできる。
【００４９】
図５（Ａ）に示す芯３Ｄは、円柱状に形成され、どの部分の直径も同じであるが、ペン先側の先端はドーム状に丸みを帯びるようにしたものある。図５（Ｂ）に示す芯３Ｅは、円柱状に形成すると共に、ペン先側の先端をテーパー形状にしたものである。また、図５（Ｃ）に示す芯３Ｅは、単に円柱状に形成しただけのものである。なお、図５に示した芯３の外観形状の他の例は、あくまでも一例であり、この他の外観形状とすることもできる。
【００５０】
例えば、芯３を、円柱上ではなく、三角柱状以上の多角柱状に形成してもよい。すなわち、芯３は、軸心方向と交差する方向の断面が、いかなる形状であっても、棒状（柱状）に形成され、その内部に管状の空隙や気孔が設けられるものであればよい。
【００５１】
＜芯の内部構造の他の例＞
上述した実施の形態では、図３（Ｂ）、（Ｃ）、（Ｄ）を用いて説明したように、空隙ＧＰａ、ＧＰｂや気孔Ｐｒは、芯の一方の端部から他方の端部へ貫通しているものとして説明したが、これに限るものではない。空隙ＧＰａ、ＧＰｂや気孔Ｐｒは、ペン先側に形成され、苦味物質を保持できる軸心方向に適当な長さを有していればよい。
【００５２】
また、合成繊維を束ねて芯を構成する場合には、合成繊維自体が管状に形成されたものを用いてもよい。管状の合成繊維を用いることにより、合成繊維間に生じる空隙だけでなく、管状の合成繊維内にも、苦味物質を浸み込ませることができ、より多くの苦味物質を保持させるようにできる。
【００５３】
＜アクティブ静電結合方式の電子ペン＞
また、上述もしたように、この発明の電子ペン用の芯は、アクティブ静電結合方式（ＡＥＳ（Active Electrostatic）方式）の位置検出装置に対応する電子ペンにも適用可能なものである。アクティブ静電結合方式の電子ペンは、電子ペンに搭載された発振回路からの信号を位置検出装置に送信して、位置指示と筆圧の通知とを行うものである。このため、上述した電磁誘導型の電子ペンのように、共振回路を通じて、位置検出装置との間で信号のやり取りをするのではなく、芯から位置指示及び筆圧通知用の信号を位置検出装置に送信する必要がある。
【００５４】
そこで、アクティブ静電結合方式の電子ペンに用いられる芯は、導電性を有している必要がある。具体的には、芯を形成するための合成繊維や合成樹脂を形成する場合に、種々の導電性材料を混ぜ合わせるようにすればよい。導電性材料には、銅、アルミニウムのような金属材料のほか、黒鉛、シリコンカーバイドのような半導体などがある。また、近年においては、導電性を持ったプラスチックなども開発されており、このように導電性を持ったプラスチックを用いて、例えば、図３（Ｃ）を用いて説明したように、内部に気孔を備えたアクティブ静電結合方式の電子ペン用の芯を構成することもできる。
【００５５】
＜その他＞
上述もしたように、合成繊維としては、ポリエステル繊維、ナイロン繊維、アクリル繊維などを用いることができる。同様に、合成樹脂についても、人為的に製造された、高分子化合物からなる種々の物質を用いることができる。
【００５６】
また、用いる苦味物質についても、安息香酸デナトニウムに限るものではなく、例えば、植物の葉や果実の表皮などから抽出される植物由来の苦味物質を用いるなど、種々の苦味物質を用いるようにすることができる。
【符号の説明】
【００５７】
１、１Ａ…電子ペン、２…筐体、３、３Ａ、３Ｂ、３Ｃ…芯、３Ｄ、３Ｅ、３Ｆ…芯、４…フェライトコア、５…コイル、６…第１保持部材、７…第２保持部材、８…筆圧検出部、８１…芯体保持部、８２…押圧部、８３…第１電極、８４…バネ、８５…誘電体、８６…第２電極、９…回路基板、１０…浸透防止部材、３ｘ、３ｙ…合成繊維、ＧＰａ、ＧＰｂ…空隙、Ｔｋ１〜Ｔｋ８…突起、Ｐｒ…気孔、３Ｒｎ…樹脂、１００…容器、１１０…苦味物質の水溶液
【図１】
2019185653.tif 000003
【図２】
2019185653.tif 000004
【図３】
2019185653.tif 000005
【図４】
2019185653.tif 000006
【図５】
2019185653.tif 000007